(57)【要約】【課題】調整用ボルトの回転により、第１と第２の基板間の間隔を調整する高さ調整装置に関するもので、前記調整用ボルトが振動や繰り返し荷重を受けた際に、緩みが生じるのを防止する有効な緩み防止手段を提供する。【解決手段】調整用ボルト４を、第１の基板１に設けられた透孔１ａを貫通せしめてその先端に形成された螺子部４ｂを第２の基板３に螺合するとともに、前記第１と第２の基板との間に圧縮ばね５を介在させた高さ調整装置において、前記第１の基板１に円状に間欠的に位置するように複数個の係合凹部１ｃを設け、一端に前記ボルト４が貫通される透孔を有し、かつ、その透孔に貫通された前記ボルトの頭部４ａに係合する係合壁７ｂを有し、他端部に前記係合凹部１ｃに係合する係合突起７ｃを形成した座金７を前記ボルト４の頭部４ａと第１の基板１との間に介在せしめた。【選択図】  図１
2004176741.tif 000002
【特許請求の範囲】
【請求項１】
一端に頭部が、他端部に螺子部が形成されたボルトを、第１の基板に設けられた透孔を貫通せしめて前記螺子部を第２の基板に形成された螺子孔に螺合するとともに、前記第１と第２の基板との間に介在された圧縮ばねの弾性力により前記第１の基板を前記ボルトの頭部の下側に押圧し、前記ボルトの回転に伴って前記第１と第２の基板間の間隔を調整する高さ調整装置において、前記第１の基板の前記透孔を中心とする円上に間欠的に複数個の係合凹部を設け、一端に前記ボルトが貫通される透孔を有するとともに、その透孔に貫通された前記ボルトの頭部に係合する係合壁を有し、他端部に前記係合凹部に係合する係合突起を形成した座金を前記ボルトの頭部と第１の基板との間に介在せしめて、前記ボルトの回転に伴って前記係合突起が前記係合凹部の１つに順次係合するように構成したことを特徴とする高さ調整装置。
【請求項２】
前記座金の前記係合突起が形成された側の端部に、直立した把手を形成したことを特徴とする請求項１記載の高さ調整装置。
【請求項３】
前記係合突起は、徐々に高くなる傾斜面とその傾斜面の端部から急激に低くなる係合面を有していることを特徴とする請求項１記載の高さ調整装置。
【請求項４】
前記座金の係合壁は、ボルトの六角形状の頭部に五方向より沿うように形成されていることを特徴とする請求項１記載の高さ調整装置。
【発明の詳細な説明】
【０００１】
【発明の属する技術分野】
本発明は、調整用ボルトの回転により、第１と第２の基板間の間隔を調整する高さ調整装置に関するもので、前記調整用ボルトが振動や繰り返し荷重を受けた際に、緩みが生じるのを防止する緩み防止手段に特徴を有し、特に、光学装置などにおいて、光源などの部品の位置を調整する際に使用される調整用ボルトのように、繰り返し回動調整が行われるボルトの緩み防止に効果のある具体的構成を提供するものである。
【０００２】
【従来の技術】
従来より、種々の機器において部品の位置を調整する手段として、図６に示すように調整用ボルトを使用することが行われている。図６において、１は調整すべき部品２が固定された第１の基板であり、３は装置本体の第２の基板である。４は前記第１の基板１に形成された透孔１ａを貫通して先端部に形成された螺子部４ｂが前記第２の基板３に形成された螺子孔３ａに螺合した調整用ボルトであり、５は前記第１と第２の基板１，３間に、前記調整用ボルト４が中心に位置するように介在された圧縮ばねである。
すなわち、前記圧縮ばね５の弾性力により、第１の基板１は調整用ボルト４の頭部４ａの下側に当接した状態でその位置が固定され、前記調整用ボルト４を回動することにより、前記第１の基板１の第２の基板３に対する高さ位置が調整されるように構成されている。
しかし、上述の構成のみでは、前記調整用ボルト４が振動や繰り返し荷重を受けた際に、緩みが生じることがあるため、図６に示すように、前記第２の基板３より突出した調整用ボルト４の螺子部４ｂに、さらに、緩み防止のためのナット６を前記第２の基板３の裏面に当接するまでねじ込んでいる。
【０００３】
【特許文献１】
特開２００２−２３５７２４号公報
【０００４】
【発明が解決しようとする課題】
しかしながら、前述のような構成では、再調整時には、前記ナット６を緩め、その後に調整ボルト４を回転して調整した後、再度、ナツト６を締め付ける必要があり、手数の掛かるものであった。また、ナット６や調整ボルト４に合った工具が必要である。
【０００５】
【課題を解決するための手段】
上記目的を達成するために本発明は、基板に円状に間欠的に複数個の係合凹部を設ける一方で、ボルトの頭部に座金の一部を係合させ、座金の他端に設けた係合突起を基板の係合凹部に係合させるようにしたもので、工具を要しないで緩み防止を実現できる。
【０００６】
【発明の実施の形態】
本発明の請求項１記載の発明は、一端に頭部が、他端部に螺子部が形成されたボルトを、第１の基板に設けられた透孔を貫通せしめて前記螺子部を第２の基板に形成された螺子孔に螺合するとともに、前記第１と第２の基板との間に介在された圧縮ばねの弾性力により前記第１の基板を前記ボルトの頭部の下側に押圧し、前記ボルトの回転に伴って前記第１と第２の基板間の間隔を調整する高さ調整装置において、前記第１の基板の前記透孔を中心とする円上に間欠的に複数個の係合凹部を設け、一端に前記ボルトが貫通される透孔を有するとともに、その透孔に貫通された前記ボルトの頭部に係合する係合壁を有し、他端部に前記係合凹部に係合する係合突起を形成した座金を前記ボルトの頭部と第１の基板との間に介在せしめて、前記ボルトの回転に伴って前記係合突起が前記係合凹部の１つに順次係合するように構成したことを特徴とする高さ調整装置であり、所定の位置までボルトを締め付け、その状態で係合突起と係合凹部とを係合せしめておけば、振動などにより、ボルトに緩み方向に回転する力が加わっても、前記係合凹部と係合突起とが係合してその回転を阻止するものである。
【０００７】
本発明の請求項２に記載の発明は、前記座金の前記係合突起が形成された側の端部に、直立した把手を形成したことを特徴とする請求項１記載の高さ調整装置であり、前記把手によりボルトと一体的に回転する座金を容易に回転することができるため、調整時に、特に工具を必要としないものである。
本発明の請求項３に記載の発明は、前記係合突起は、徐々に高くなる傾斜面とその傾斜面の端部から急激に低くなる係合面を有していることを特徴とする請求項１記載の高さ調整装置であり、特に、前記斜面部が、ボルトの締め付け時の回転方向側に位置するよう構成しておけば、さしたる大きな抵抗もなく次の係合凹部１ｂに向けて座金７を回転でき、締め付け操作に支障の無いものである。また、調整後に、振動などにより、調整ボルトに緩み方向に回転する力が加わっても、前記係合突起の前記係合面が係合凹部１ｂと係合してその回転を阻止する。
【０００８】
本発明の請求項４に記載の発明は、前記座金の係合壁は、ボルトの六角形状の頭部に五方向より沿うように形成されていることを特徴とする請求項１記載の高さ調整装置であり、ボルトの頭部に座金の係合壁が係合された後も、六角形状をしているので、通常の工具をボルトの頭部に係合することが出来好都合なものである。
（実施の形態１）
以下に、本発明の実施形態について、図面を用いて説明する。図１は本発明の実施の形態における緩み防止装置の平面図、図２は同側断面図、図３は本実施形態に使用される座金の斜視図、図４は同座金を反転した状態の斜視図である。なお、これらの図において、前述の従来例と類似部位には同一の符号を付している。本実施の形態の従来例と異なる点は、ナット６を廃し、代わりに後述の構成よりなる座金７を調整用ボルト４の頭部４ａと第１の基板１との間に介在させた点にある。
前記座金７は、図３および図４に示すように、一端部に調整用ボルト４の貫通する透孔７ａを有し、かつ、その透孔７ａに貫通された調整用ボルト４の６角形状の頭部４ａの側面に五方向より係合する係合壁部７ｂを有している。また、その座金７の他端部近傍の裏面には、徐々に突出量が増大する斜面とその斜面の端部より急激に元の高さになる係合面を有する断面が略直角三角形状に構成された係合突起７ｃが形成されており、これらの構成よりなる座金７は金属材により一体加工されている。
一方、前記第１の基板１には、図１に最も明瞭に示されるように、透孔１ａの中心を中心とする円上に前記係合突起７ｃと係合可能な複数個の係合凹部１ｂが形成されている。前記円の半径は、前記座金７の透孔７ａの中心から前記係合突起７ｃまでの距離と等しく成るように構成されている。
そして、前記座金７を介して調整用ボルト４を第１の基板１の透孔１ａを貫通せしめて、第２の基板３の螺子孔３ａに螺合し、この状態で、調整用ボルト４を締め付けると、圧縮ばね５が圧縮されながら前記第１の基板１と第２の基板３間の間隔は徐々に小さくなるものである。この締め付け時、前記座金７も調整用ボルト４と共に回転し、その回転に伴って座金７の前記係合突起７ｃが前記係合凹部１ｂに順次係合するが、係合突起７ｃの突出量が徐々に増大する斜面部が、その締め付け時の回転方向側に位置するよう構成しておけば、さしたる大きな抵抗もなく次の係合凹部１ｂに向けて座金７を回転でき、特に、締め付け操作に支障の無いものである。
所定の位置まで調整用ボルト４を締め付け、その状態で係合突起７ｃと係合凹部１ｂとを係合せしめておけば、振動などにより、調整用ボルト４に緩み方向に回転する力が加わっても、前記係合突起７ｃの係合面が係合凹部１ｂと係合してその回転を阻止する。なお、調整用ボルト４をゆるめる場合には、前記座金の弾性を利用して座金７の係合突起７ｃ付近を持ち上げて前記係合突起７ｃと係合凹部１ｂを解いた状態で回動すればよいものである。
前記調整用ボルト４を回転するには、通常使用される工具を調整用ボルトの頭部４ａに係合して行っても良いが、前記座金７の長さが長い場合には、この座金７の係合突起７ｃ側の先端部をドライバーなどで引っかけて回転しても良い。
（実施の形態２）
この実施の形態は、調整用ボルト４を、特に、工具を使用することなく回転できるようにしたものであり、図５に示すように、座金７の係合突起７ｃ側の先端部に前記係合突起７ｃと反対側に突出した把手７ｄを一体的に形成したものである。
すなわち、この把手７ｄにより座金７を回転することにより、調整用ボルト４を回転せしめるもので、調整時に、工具を必要としないため，度々調整する必要がある場合には好都合なものである。
【０００９】
【発明の効果】
以上のように本発明によれば、調整用ボルトが振動や、繰り返し加重を受けた際の緩みを防止できるものであり、また、特に、工具を使うことなくボルトを回転することも可能であり、度々調整する必要がある場合には好都合なものである。
【図面の簡単な説明】
【図１】本発明の実施の形態における高さ調整装置の平面図
【図２】同高さ調整装置の側断面図
【図３】同高さ調整装置に使用される座金の斜視図
【図４】同座金を反転した状態の斜視図
【図５】本発明の他の実施の形態における高さ調整装置に使用される座金の斜視図
【図６】従来の高さ調整装置の側断面図
【符号の説明】
１  第１の基板
１ａ  透孔
２  部品
３    第２の基板
３ａ  螺子孔
４    調整ボルト
４ａ  頭部
４ｂ  ネジ部
５  圧縮ばね
６  ナット
７  座金
７ａ  透孔
７ｂ  係合壁
７ｃ  係合突起
７ｄ  把手
【図１】
2004176741.tif 000003
【図２】
2004176741.tif 000004
【図３】
2004176741.tif 000005
【図４】
2004176741.tif 000006
【図５】
2004176741.tif 000007
【図６】
2004176741.tif 000008